(57)【要約】【課題】後方にも光を放射することができるＬＥＤランプを提供する。【解決手段】本発明のＬＥＤランプ１は、２つの端部同士が対向する筒状の放熱部３とＬＥＤ４が設けられた基板５とを有する。放熱部３の一方の端部は他方の端部よりも小さくなっている。基板５は、ＬＥＤ４が設けられた面が外部を向くように他方の端部に配置されている。放熱部３の側部の外面にはＬＥＤ８が配置されている。【選択図】図１
2013069548.tif 000002
【特許請求の範囲】
【請求項１】
２つの端部同士が対向する筒状の放熱部とＬＥＤが設けられた基板とを有するＬＥＤランプであって、
前記放熱部の一方の前記端部は他方の前記端部よりも小さくなっており、
前記基板は、前記ＬＥＤが設けられた面が外部を向くように前記他方の端部に配置されており、
前記放熱部の側部の外面にもＬＥＤが配置されている、ＬＥＤランプ。
【請求項２】
前記放熱部の他方の前記端部には、前記基板の前記ＬＥＤを覆って該ＬＥＤの光を散乱させる散乱カバーが設けられている、請求項１に記載のＬＥＤランプ。
【請求項３】
前記放熱部の一方の前記端部には口金が設けられ、前記放熱部の内部には、前記口金から供給される電力を前記ＬＥＤに供給する制御部が設けられている、請求項１または２に記載のＬＥＤランプ。
【請求項４】
前記放熱部は円錐台形状をしている、請求項１から３のいずれか１項に記載のＬＥＤランプ。
【請求項５】
２つの端部同士が対向する筒状の放熱部とＬＥＤが設けられた基板とを有するＬＥＤランプの光の放射方法であって、
異なる大きさに形成された前記放熱部の前記２つの端部のうちの大きい方の端部に前記ＬＥＤが外部を向くように前記基板を配置し、
前記放熱部の側部の外面にもＬＥＤを配置して、
前記ＬＥＤランプの、前記放熱部の２つの端部のうち大きい方の端部が位置する方向を前方、小さい方の端部が位置する方向を後方とすると、前記基板に設けられた前記ＬＥＤの光を前記前方に、前記放熱部の側部の外面に配置されたＬＥＤの光を前記後方に放射させる、ＬＥＤランプの光の放射方法。
【発明の詳細な説明】
【技術分野】
【０００１】
本発明は、ＬＥＤランプに関する。
【背景技術】
【０００２】
近年、低消費電力で長寿命であることから、ＬＥＤ（Ｌｉｇｈｔ Ｅｍｉｔｔｉｎｇ Ｄｉｏｄｅ）を使用したＬＥＤランプが普及してきている。ＬＥＤからの光は指向性が強いため、ＬＥＤランプの光束は、前方の狭い範囲に集中する。したがって、ＬＥＤランプは、スポットライトのように使用される場合に特に適している。しかしながら、白熱電球や電球型蛍光灯のように、室内照明用として使用する場合には問題が生じる。ＬＥＤランプの場合、光束が前面に集中するため、側面および後方への光束が少なく、室内の照光に大きなムラができ、室内にある家具等の影が不自然になってしまう。
【０００３】
この欠点を解消するため、たとえば特許文献１では、ＬＥＤが配置された正五角形や正六角形の基板によって組み立てられた球状のＬＥＤユニットをＬＥＤランプの内部に設け、ＬＥＤランプの前方以外にも光が放射されるようにしている。
【０００４】
また、特許文献２では、ＬＥＤランプの前面に光を散乱させる散乱カバーを設けて、ＬＥＤランプの前方以外にも光が放射されるようにしている。
【先行技術文献】
【特許文献】
【０００５】
【特許文献１】特開２００２−１８４２０７号公報
【特許文献２】特開２００９−２７７５８６号公報
【発明の概要】
【発明が解決しようとする課題】
【０００６】
しかしながら、球状のＬＥＤユニットを作成する場合、ＬＥＤランプの組み立て工数が増加し、コストが増加する。また、ＬＥＤは点光源に近いため、非常に狭い領域から高輝度な光を発する。そのため、使用者が高輝度なＬＥＤを直視すると目に支障をきたす可能性がある。また、散乱カバーをＬＥＤランプの前面に設ける場合、この散乱カバーによってＬＥＤランプからの光は前方以外にも放射されるが、ＬＥＤランプの後方にはほとんど放射されない。
【０００７】
そこで本発明は、後方へ光を放射させることは困難である、といった課題を解決するＬＥＤランプを提供する。
【課題を解決するための手段】
【０００８】
本発明のＬＥＤランプは、２つの端部同士が対向する筒状の放熱部とＬＥＤが設けられた基板とを有する。放熱部の一方の端部は他方の端部よりも小さくなっている。また、基板は、ＬＥＤが設けられた面が外部を向くように他方の端部に配置されている。さらに、放熱部の側部の外面にもＬＥＤが配置されている。
【発明の効果】
【０００９】
本発明によれば、ＬＥＤランプの後方にも光を放射することができる。
【図面の簡単な説明】
【００１０】
【図１】本発明に係るＬＥＤランプの概略構成図である。
【図２】ＬＥＤを発光させたときのＬＥＤランプの様子を示す概略図である。
【発明を実施するための形態】
【００１１】
以下に、添付の図面に基づき、本発明の実施の形態を説明する。なお、同一の機能を有する構成には添付図面中、同一の番号を付与し、その説明を省略することがある。
【００１２】
図１に、本発明に係るＬＥＤランプの概略構成図を示す。本発明のＬＥＤ（Ｌｉｇｈｔ Ｅｍｉｔｔｉｎｇ Ｄｉｏｄｅ）ランプ１は、口金２、放熱部３、複数のＬＥＤ４、８、基板５、散乱カバー６、制御部７で構成される。
【００１３】
本発明のＬＥＤランプ１について具体的に説明する。放熱部３は一方の端部が小さく、他方の端部が大きな筒状、例えば円錐台形状をしており、２つの端部同士は対向している。また、放熱部３の小さい方の端部には不図示の照明器具本体のソケットに挿入される口金２が設けられており、放熱部３の大きい方の端部には基板５が設けられている。基板５の外部を向いた面にはメイン発光用の複数のＬＥＤ４が設けられることで発光部１０が形成されている。そして、基板５上のＬＥＤ４を覆うように、放熱部５の大きい方の端部に光を散乱させる散乱カバー６が設けられている。
【００１４】
本発明では、基板５以外に、放熱部３の側部の外面には補助発光用の複数のＬＥＤ８を配置することで、補助発光部１１が形成されている。また、放熱部５の内部には照明器具本体のソケットと口金２を介して供給される電力を発光部１０と補助発光部１１のＬＥＤ４、８に供給する制御部７が設けられている。
【００１５】
図２に、ＬＥＤ４、８を発光させたときのＬＥＤランプ１の様子を示す。なお、図中の矢印の方向は、光の進行方向の一例であり、矢印の長さが光量を示している。また、ＬＥＤランプ１の、放熱部３の大きい方の端部、つまり基板５が位置する方向を前方、放熱部３の小さい方の端部、つまり口金２が位置する方向を後方とする。
【００１６】
発光部１０と補助発光部１１のＬＥＤ４、８に電力を供給すると、発光部１０から放射される光は、ＬＥＤ４は指向性を有するため、主に前方に進行する。また、補助発光部１１のＬＥＤ８は、放熱部３の側部の外面に設けられている。この放熱部３は、上述したように、口金２が位置する端部と基板５が位置する端部同士が対向し、かつ、口金２が位置する端部が小さく、基板５が位置する端部が大きい。つまり、放熱部３の側部の外面は後方を向いている。したがって、補助発光部１１からの光は、主に後方に向かって放射されることになる。また、補助発光部１１のＬＥＤ８は、放熱部３に設けられているため、補助発光部１１のＬＥＤ８で生じる熱を効率よく放熱することができる。
【００１７】
上述したように、本発明のＬＥＤランプ１では、発光部１０からの光は主にＬＥＤランプ１の前方に放射され、補助発光部１１からの光は主に後方に向かって放射される。そのため、本発明のＬＥＤランプ１は、その前方のみならず、後方に向かっても光を放射させることができる。また、放熱部３を利用して後方への光の放射を可能にしているため、関連技術の一例のような立体的なＬＥＤユニットを形成する必要がなく、ＬＥＤランプの組み立て工数やコストの増加を抑制することができる。
【００１８】
また、補助発光部１１のＬＥＤ８は、照明器具本体に取付けられると使用者は補助発光部１１のＬＥＤ８を直接目視できないため、補助発光部１１のＬＥＤ８としてより高輝度のものを使用することができる。発光部１０の光は、散乱カバー６を介して外部に放射されるため、使用者が直接目視できず、使用者の目に支障をきたす可能性を減らすことができる。
【符号の説明】
【００１９】
１  ＬＥＤランプ
２  口金
３  放熱部
４、８ＬＥＤ
５  基板
６  散乱カバー
７  制御部
１０発光部
１１補助発光部
【図１】
2013069548.tif 000003
【図２】
2013069548.tif 000004